【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
オーディオ情報及びビデオ情報を含む第一の記録された情報とオーディオ情報及びビデオ情報を含む第二の記録された情報とに含まれる情報を表示する装置であって、
ディスプレイと、
プロセッサと、を有し、
前記プロセッサは、
前記第一の記録された情報に含まれる情報の第一の表現を前記ディスプレイ上に表示し、
前記第二の記録された情報に含まれる情報の第二の表現を前記ディスプレイ上に表示する、ように設定され、
前記第一の表現は、第一のサムネールと第二のサムネールとを有し、
前記第一のサムネールは、前記第一の記録された情報に含まれる前記オーディオ情報から得られたテキスト情報を含み、
前記第二のサムネールは、前記第一の記録された情報に含まれる前記ビデオ情報から抽出された１以上のキーフレームを含み、
前記第二の表現は、第三のサムネールと第四のサムネールとを有し、
前記第三のサムネールは、前記第二の記録された情報に含まれる前記オーディオ情報から得られたテキスト情報を含み、
前記第四のサムネールは、前記第二の記録された情報に含まれる前記ビデオ情報から抽出された１以上のキーフレームを含む、ことを特徴とする装置。
【請求項２】
請求項１記載の装置であって、
前記プロセッサは、
ユーザ基準を識別する情報を受信し、
前記第一の表現及び前記第二の表現のうち前記ユーザ基準を含む１以上の部分を強調するように設定され、
前記第一の表現の強調される部分は、前記第一のサムネール及び前記第二のサムネールの一部を覆い、
前記第二の表現の強調される部分は、前記第三のサムネール及び前記第四のサムネールの一部を覆う、ことを特徴とする装置。
【請求項３】
請求項２記載の装置であって、
前記プロセッサは、前記第一の表現及び前記第二の表現において前記ユーザ基準を含む位置を特定し、この特定された位置に基づいて、前記第一の表現及び前記第二の表現のうち前記強調される１以上の部分を決定するように設定される、ことを特徴とする装置。
【請求項４】
請求項２記載の装置であって、
前記ユーザ基準は１以上の単語又はフレーズである、ことを特徴とする装置。
【請求項５】
請求項２記載の装置であって、
前記ユーザ基準は１以上の関心ある話題である、ことを特徴とする装置。
【請求項６】
請求項２記載の装置であって、
前記プロセッサは、前記第一の表現及び前記第二の表現のうち前記強調された部分の各々について文書を前記ディスプレイ上に表示するように設定され、
前記一部分についての文書は、該一部分によって覆われた前記第一又は第三のサムネールの一部からのテキスト情報と、該一部分によって覆われた前記第二又は第四のサムネールの一部からの１以上のキーフレームとを含む、ことを特徴とする装置。
【請求項７】
請求項２記載の装置であって、
前記プロセッサは、
前記第一の表現のうち前記強調された１以上の部分から選択された第一の強調部分を示す情報を受信し、
前記第一の強調部分についての文書を前記ディスプレイ上に表示する、ように設定され、
前記第一の強調部分についての文書は、該第一の強調部分によって覆われた前記第一のサムネールの一部からのテキスト情報と、該第一の強調部分によって覆われた前記第二のサムネールの一部からの１以上のキーフレームとを含む、ことを特徴とする装置。
【請求項８】
請求項２記載の装置であって、
前記プロセッサは、
前記第一の表現のうち前記強調された１以上の部分から選択された第一の強調部分を示す情報を受信し、
前記第一の記録された情報から前記第一の強調部分に対応するビデオ情報を出力させるように設定される、ことを特徴とする装置。
【請求項９】
情報を表示する装置であって、
プロセッサと、
前記プロセッサに接続されたメモリとを有し、
前記メモリは、前記プロセッサを制御するプログラムを格納するように設定され、
前記プロセッサは、前記プログラムの制御下において、
格納された情報の表現を表示させ、
前記格納された情報のうち出力済の１以上の部分を表す情報を受信し、
前記格納された情報の表現のうち、前記格納された情報の出力済の１以上の部分に対応する１以上の部分を強調するように設定される、ことを特徴とする装置。
【請求項１０】
情報を表示する装置であって、
プロセッサと、
前記プロセッサに接続されたメモリとを有し、
前記メモリは、前記プロセッサを制御するプログラムを格納するように設定され、
前記プロセッサは、前記プログラムの制御下において、
格納された情報の表現を表示させ、
前記格納された情報のうちいまだ出力されていない１以上の部分を表す情報を受信し、
前記格納された情報の表現のうち、前記格納された情報のいまだ出力されていない１以上の部分に対応する１以上の部分を強調するように設定される、ことを特徴とする装置。
【請求項１１】
オーディオ情報及びビデオ情報を含む第一の記録された情報とオーディオ情報及びビデオ情報を含む第二の記録された情報とに含まれる情報を表示する方法であって、
前記第一の記録された情報に含まれる情報の第一の表現を表示する工程と、
前記第二の記録された情報に含まれる情報の第二の表現を表示する工程と、を有し、
前記第一の表現は、第一のサムネールと第二のサムネールとを有し、
前記第一のサムネールは、前記第一の記録された情報に含まれる前記オーディオ情報から得られたテキスト情報を含み、
前記第二のサムネールは、前記第一の記録された情報に含まれる前記ビデオ情報から抽出された１以上のキーフレームを含み、
前記第二の表現は、第三のサムネールと第四のサムネールとを有し、
前記第三のサムネールは、前記第二の記録された情報に含まれる前記オーディオ情報から得られたテキスト情報を含み、
前記第四のサムネールは、前記第二の記録された情報に含まれる前記ビデオ情報から抽出された１以上のキーフレームを含む、ことを特徴とする方法。
【請求項１２】
請求項１１記載の方法であって、
ユーザ基準を識別する情報を受信する工程と、
前記第一の表現及び前記第二の表現のうち前記ユーザ基準を含む１以上の部分を強調する工程とを更に有し、
前記第一の表現の強調される部分は、前記第一のサムネール及び前記第二のサムネールの一部を覆い、
前記第二の表現の強調される部分は、前記第三のサムネール及び前記第四のサムネールの一部を覆う、ことを特徴とする方法。
【請求項１３】
請求項１２記載の方法であって、
前記第一の表現及び前記第二の表現の前記１以上の部分を強調する工程は、前記第一の表現及び前記第二の表現において前記ユーザ基準を含む位置を特定し、この特定された位置に基づいて、前記第一の表現及び前記第二の表現のうち前記強調される１以上の部分を決定する、ことを特徴とする方法。
【請求項１４】
請求項１２記載の方法であって、
前記ユーザ基準は１以上の単語又はフレーズである、ことを特徴とする方法。
【請求項１５】
請求項１２記載の方法であって、
前記ユーザ基準は１以上の関心ある話題である、ことを特徴とする方法。
【請求項１６】
請求項１２記載の方法であって、
前記第一の表現及び前記第二の表現のうち前記強調された部分の各々について文書を表示する工程を更に有し、
前記一部分についての文書は、該一部分によって覆われた前記第一又は第三のサムネールの一部からのテキスト情報と、該一部分によって覆われた前記第二又は第四のサムネールの一部からの１以上のキーフレームとを含む、ことを特徴とする方法。
【請求項１７】
請求項１２記載の方法であって、
前記第一の表現のうち前記強調された１以上の部分から選択された第一の強調部分を示す情報を受信する工程と、
前記第一の強調部分についての文書を表示する工程とを更に有し、
前記第一の強調部分についての文書は、該第一の強調部分によって覆われた前記第一のサムネールの一部からのテキスト情報と、該第一の強調部分によって覆われた前記第二のサムネールの一部からの１以上のキーフレームとを含む、ことを特徴とする方法。
【請求項１８】
請求項１２記載の方法であって、
前記第一の表現のうち前記強調された１以上の部分から選択された第一の強調部分を示す情報を受信する工程と、
前記第一の記録された情報から前記第一の強調部分に対応するビデオ情報を出力する工程とを更に有する、ことを特徴とする方法。
【請求項１９】
コンピュータにより実施される情報を表示する方法であって、
格納された情報の表現を表示する工程と、
前記格納された情報のうち出力済の１以上の部分を表す情報を受信する工程と、
前記格納された情報の表現のうち、前記格納された情報の出力済の１以上の部分に対応する１以上の部分を強調する工程と、を有することを特徴とする方法。
【請求項２０】
コンピュータにより実施される情報を表示する方法であって、
格納された情報の表現を表示する工程と、
前記格納された情報のうちいまだ出力されていない１以上の部分を表す情報を受信する工程と、
前記格納された情報の表現のうち、前記格納された情報のいまだ出力されていない１以上の部分に対応する１以上の部分を強調する工程と、を有することを特徴とする方法。
【請求項２１】
コンピュータに、オーディオ情報及びビデオ情報を含む第一の記録された情報とオーディオ情報及びビデオ情報を含む第二の記録された情報とに含まれる情報を表示させるコンピュータプログラムであって、前記コンピュータに、請求項１１ないし２０いずれか一項に記載の方法の各工程を実行させることを特徴とするコンピュータプログラム。